【手続補正書】
【提出日】平成15年12月18日(2003.12.18)
【手続補正１】
【補正対象書類名】明細書
【補正対象項目名】特許請求の範囲
【補正方法】変更
【補正の内容】
【特許請求の範囲】
【請求項１】
一水平走査線内にＰ個の画素を含み、Ｑ本の走査線から構成される表示画面と、
前記Ｐ或いはＱと、入力画像の一水平走査線内の画素数Ｈ（≠Ｐ）、或いは走査線数Ｖ（≠Ｑ）と、入力画像を走査線方向、或いは、走査線とは垂直な方向に均等の領域ｂｉ（ｉは、１からＢまでの整数）に分割した分割数Ｂと、隣接する前記領域間の倍率の差ｇとから求まる各領域ｂｉの変換倍率ｋｉ（ｉは、１からＢまでの整数）を予め定めておき、各領域ｂｉ毎に入力画像を倍率ｋｉ倍に変換して表示する表示変換手段と
を備え、
前記表示変換手段から出力された入力画像を前記表示画面に画面表示することを特徴とする画像表示装置。
【請求項２】
前記Ｐ又はＱによって一意的に定まる変換率をＥとして、前記分割数Ｂを２以上の偶数に設定したときには、前記最大値を｛Ｅ＋（Ｂ−２）ｇ／４｝に、前記最小値を｛Ｅ−（Ｂ−２）ｇ／４｝に設定し、前記分割数Ｂを３以上の奇数に設定したときには、前記最大値を｛Ｅ＋（Ｂ−３）ｇ／４｝に、前記最小値を｛Ｅ−（Ｂ−３）ｇ／４｝に設定することを特徴とする請求項１に記載の画像表示装置。
【請求項３】
一水平走査線内にＰ個の画素を含み、Ｑ本の走査線から構成される表示画面と、
前記Ｐ或いはＱと、入力画像の一水平走査線内の画素数Ｈ（≠Ｐ）、或いは走査線数Ｖ（≠Ｑ）と、入力画像を走査線方向、或いは、走査線とは垂直な方向に均等の領域ｂｉ（ｉは、１からＢまでの整数）に分割した分割数Ｂとから、その総和が前記Ｐ又はＱによって一意的に定まる変換率Ｅと分割数Ｂとを乗算したＥ×Ｂの値にほぼ等しくなるように各領域ｂｉの変換倍率ｋｉを予め定めておき、各領域ｂｉ毎に入力画像を倍率ｋｉ倍に変換して表示する表示変換手段と
を備え、
前記表示変換手段から出力された入力画像を前記表示画面に画面表示することを特徴とする画像表示装置。
【請求項４】
前記分割数Ｂを２以上の偶数に設定したときには、画素数Ｈを左右にほぼ２等分する境界線Ｌ１に対して左右対称を成し、あるいは、走査線数Ｖを上下にほぼ２等分する境界線Ｌ２に対して上下対称を成すように各領域ｂｉ毎に倍率値ｋｉを設定したことを特徴とする請求項１又は３のいずれかに記載の画像表示装置。
【請求項５】
前記分割数Ｂを３以上の奇数に設定したときには、画素数Ｈを左右にほぼ２等分する境界線Ｌ１にまたがる、あるいは、走査線数Ｖを上下にほぼ２等分する境界線Ｌ２にまたがる（Ｂ＋１）／２番目の領域の倍率値がｋ０に設定されるとともに、（Ｂ＋１）／２番目の領域を除いた残りの領域ｂｉ（１≦ｉ≦（Ｂ−１）／２、（Ｂ＋３）／２≦ｉ≦Ｂ）については、前記境界線Ｌ１に対して左右対称を成し、あるいは、前記境界線Ｌ２に対して上下対称を成すように各領域ｂｉ毎に倍率値ｋｉ（１≦ｉ≦（Ｂ−１）／２、（Ｂ＋３）／２≦ｉ≦Ｂ）を設定したことを特徴とする請求項１又は３のいずれかに記載の画像表示装置。
【請求項６】
前記表示画面は、その幅寸法ｗ、高さ寸法ｈ、及び画素毎の配置ピッチ形状に基づいて、一水平走査線方向の画素数Ｐ、及び走査線の本数Ｑが定められていることを特徴とする請求項１乃至５のいずれかに記載の画像表示装置。
【請求項７】
前記表示画面は、１６：９のプラズマ・ディスプレイ・パネルであることを特徴とする請求項６に記載の画像表示装置。
【請求項８】
前記プラズマ・ディスプレイ・パネルは、
対をなして走査線方向に配置された電極素子を、走査線と交叉する方向に複数配置した一方の電極と、
前記電極素子と交叉する方向に、走査線上の各画素に対応して複数配置した他方の電極と、
前記一方の電極を駆動制御する第一の駆動手段と、
前記他方の電極を駆動制御する第二の駆動手段とを備え、
前記表示変換手段からの画像データについて前記第一駆動手段及び第二駆動手段を駆動制御して、画面表示を行うことを特徴とする請求項７に記載の画像表示装置。
【手続補正２】
【補正対象書類名】明細書
【補正対象項目名】００２８
【補正方法】変更
【補正の内容】
【００２８】
【課題を解決するための手段】
この発明の請求項１に係る画像表示装置は、一水平走査線内にＰ個の画素を含み、Ｑ本の走査線から構成される表示画面と、Ｐ或いはＱと、入力画像の一水平走査線内の画素数Ｈ（≠Ｐ）、或いは走査線数Ｖ（≠Ｑ）と、入力画像を走査線方向、或いは、走査線とは垂直な方向に均等の領域ｂｉ（ｉは、１からＢまでの整数）に分割した分割数Ｂと、隣接する前記領域間の倍率の差ｇとから求まる各領域ｂｉの変換倍率ｋｉ（ｉは、１からＢまでの整数）を予め定めておき、各領域ｂｉ毎に入力画像を倍率ｋｉ倍に変換して表示する表示変換手段とを備え、表示変換手段から出力された入力画像を表示画面に画面表示するものである。


【手続補正３】
【補正対象書類名】明細書
【補正対象項目名】００２９
【補正方法】変更
【補正の内容】
【００２９】
この発明の請求項２に係る画像表示装置では、Ｐ又はＱによって一意的に定まる変換率をＥとして、分割数Ｂを２以上の偶数に設定したときには、最大値を｛Ｅ＋（Ｂ−２）ｇ／４｝に、最小値を｛Ｅ−（Ｂ−２）ｇ／４｝に設定し、分割数Ｂを３以上の奇数に設定したときには、最大値を｛Ｅ＋（Ｂ−３）ｇ／４｝に、最小値を｛Ｅ−（Ｂ−３）ｇ／４｝に設定するものである。


【手続補正４】
【補正対象書類名】明細書
【補正対象項目名】００３０
【補正方法】変更
【補正の内容】
【００３０】
この発明の請求項３に係る画像表示装置は、一水平走査線内にＰ個の画素を含み、Ｑ本の走査線から構成される表示画面と、
Ｐ或いはＱと、入力画像の一水平走査線内の画素数Ｈ（≠Ｐ）、或いは走査線数Ｖ（≠Ｑ）と、入力画像を走査線方向、或いは、走査線とは垂直な方向に均等の領域ｂｉ（ｉは、１からＢまでの整数）に分割した分割数Ｂとから、その総和がＰ又はＱによって一意的に定まる変換率Ｅと分割数Ｂとを乗算したＥ×Ｂの値にほぼ等しくなるように各領域ｂｉの変換倍率ｋｉを予め定めておき、各領域ｂｉ毎に入力画像を倍率ｋｉ倍に変換して表示する表示変換手段とを備え、表示変換手段から出力された入力画像を表示画面に画面表示するものである。


【手続補正５】
【補正対象書類名】明細書
【補正対象項目名】００３１
【補正方法】変更
【補正の内容】
【００３１】
この発明の請求項４に係る画像表示装置では、分割数Ｂを２以上の偶数に設定したときには、画素数Ｈを左右にほぼ２等分する境界線Ｌ１に対して左右対称を成し、あるいは、走査線数Ｖを上下にほぼ２等分する境界線Ｌ２に対して上下対称を成すように各領域ｂｉ毎に倍率値ｋｉを設定したものである。


【手続補正６】
【補正対象書類名】明細書
【補正対象項目名】００３２
【補正方法】変更
【補正の内容】
【００３２】
この発明の請求項５に係る画像表示装置では、分割数Ｂを３以上の奇数に設定したときには、画素数Ｈを左右にほぼ２等分する境界線Ｌ１にまたがる、あるいは、走査線数Ｖを上下にほぼ２等分する境界線Ｌ２にまたがる（Ｂ＋１）／２番目の領域の倍率値がｋ０に設定されるとともに、（Ｂ＋１）／２番目の領域を除いた残りの領域ｂｉ（１≦ｉ≦（Ｂ−１）／２、（Ｂ＋３）／２≦ｉ≦Ｂ）については、境界線Ｌ１に対して左右対称を成し、あるいは、境界線Ｌ２に対して上下対称を成すように各領域ｂｉ毎に倍率値ｋｉ（１≦ｉ≦（Ｂ−１）／２、（Ｂ＋３）／２≦ｉ≦Ｂ）を設定したものである。